(57)【特許請求の範囲】
【請求項１】
電源としての電池と、
前記電池、ＬＥＤ及びスイッチを内蔵保持する本体と、
軟質素材の首掛け用紐部からなり、
前記首掛け用紐部の端部は前記本体を挿入する箱型形状で形成され、
前記電池と前記スイッチを包み込むとともに、その内壁に前記本体を係止する凸部を有し、
前記首掛け用紐部の紐部根元の両側を摘むことで、紐部内側天面を本体側へ突出するよう変形させて前記首掛け用紐部から本体を取り外すことができる首掛け用ＬＥＤ照明装置。
【発明の詳細な説明】
【技術分野】
【０００１】
本発明は、電池を電源とし、夜間もしくは暗室内にて首に掛けてハンドフリーで使用されるＬＥＤ照明装置に関するものである。
【背景技術】
【０００２】
従来、首に掛けて使用するＬＥＤ照明装置には、軟質素材を用いた首掛け用紐部と照明装置本体をネジで結合した構成のものが知られている。従来の首掛け用ＬＥＤ照明装置を図５に示す。図５においてネジ９で首掛け用紐部１０と本体部１１を結合している。また、ＬＥＤ１２を内蔵したＬＥＤ保持部１３を回転させることにより接点１４を切り替えてＯＮ・ＯＦＦ動作を行っていた（例えば特許文献１参照）。
【特許文献１】特開２００５−２４３５３８号公報
【発明の開示】
【発明が解決しようとする課題】
【０００３】
しかし、前記従来の首掛け用ＬＥＤ照明装置では、電池交換の際にドライバー等の工具を使ってネジを外し本体部を取り出す必要があり、工具類の携帯が不可欠であり不便であった。
【０００４】
また、スイッチ機能を持つ接点が首掛け用紐部の外部に位置するため、雨水や粉塵が接点部に浸入し導通不良を起こすという課題を有していた。
【課題を解決するための手段】
【０００５】
前記従来の課題を解決するために、電源としての電池と、前記電池と照射用ＬＥＤ及び電気的に接続されたスイッチを内蔵保持する本体と、ゴム、エラストマーなどの軟質材料の首掛け用紐部からなり、前記首掛け用紐部の端部は前記本体内の前記電池と前記スイッチを包み込むとともに、前記照射用ＬＥＤを包み込む様な箱型形状で形成され、その内壁に前記本体を係止する凸部を有することにより、ネジ等の結束部品を使わずに首掛け用紐部と本体の係止が出来るように構成し、前記首掛け用紐部の端部の上方に構成した二つの紐部の根元の両側を摘むことで前記本体を外部に押し出せるようにした。
【発明の効果】
【０００６】
本発明によると、前記首掛け用紐部の端部は前記本体の大部分を包み込む様な箱型形状で形成しているため、雨水や粉塵の浸入がなく、導通不良等の発生のない防水性の高いＬＥＤ照明装置を得ることができる。
【０００７】
また、首掛け用紐部の内壁に本体を係止する凸部を設け、本体の挿入時は凸部で係止し、凸部による係止を外して本体の脱着を行うことにより、ネジでの首掛け用紐部と照明装置本体の係止をなくすことができ、ドライバー等の工具を使用しなくても照明装置本体を首掛け用紐部から外して電池交換等を行うことが可能となる。このように、防水性がよく、かつ工具を使用しなくても電池交換が可能であるため、釣りやキャンプなどで夜間使用する際に好適な首掛け用ＬＥＤ照明装置を得ることができる。
【発明を実施するための最良の形態】
【０００８】
以下、本発明を実施するための最良の形態について、図面を参照しながら説明する。
【０００９】
（実施の形態１）
図１は本発明の実施の形態１における首掛け用ＬＥＤ照明装置の正面方向断面図、図２
は同じく側面方向断面図であり、照明装置として使用する際の本体と紐部の構成を示している。
【００１０】
図１、図２において本体１は、電池２、スイッチ３、制御基板４、ＬＥＤ５、ケース６、レンズ７から構成され、電池２とスイッチ３、制御基板４、ＬＥＤ５はそれぞれ電気的に接続された状態でケース６に内蔵されている。ケース６とレンズ７は樹脂成形品であり、接着剤などにより接着されている。また、図２において首掛け用紐部の端部の箱型形状の四面の内の一面は本体の押し出し方向に対し、前記本体を支えるように伸びている。伸びている箱型形状の一面の対面はその一部を切り欠き、前記箱型形状の一面より短くなっており、本体１の大部分を包み込むように保持している。
【００１１】
同図を用いて、本実施の形態における動作を詳細に説明する。本体１は首掛け用紐部８の開口部から挿入する。このとき、紐部内壁に設けた凸部である凸突起８ａによって本体１が係止され、使用時に不用意に脱落することがなく好適に使用できる。また、首掛け用紐部８の外壁８ｂを押す事により、本体１内部に配置されたスイッチ３を操作できるように構成しているので、スイッチ部及び電気接点部に雨水や粉塵などの侵入がなく、雨中の釣りやウォーキングにも安心して使用することができる。また、スイッチ３を押すたびにＬＥＤ５の光度を可変したり、連続点灯と点滅の切替が可能なように制御基板４の回路設計を行うことで使用者の好みに応じた発光を選択できるようにした。
【００１２】
次に電池交換の際の本体の取り外し方法について図３を用いて説明する。図３は本発明の実施の形態１における首掛け用ＬＥＤ照明装置の電池交換時構成を示す概略断面図であり、電池交換時の本体と首掛け用紐部の位置関係を示している。図３において首掛け用紐部の紐部根元８ｃを両側から指で摘むことで、紐部内側天面８ｄがＵ字形に変形する。これにより本体１が外部へ押し出され電池交換が可能となる。よって、電池交換の際にドライバー等の工具を使ってネジを外し本体部を取り出す必要がなく、工具類の携帯が不要であり釣りなどのアウトドアでも好適に使用することができる。
【００１３】
図４は本発明の実施の形態１における同首掛け用ＬＥＤ照明装置の外観図であり、首掛け用紐部を首などに引っ掛けることにより、ハンドフリーで周囲を照らすことができるようになっている。
【００１４】
首掛け用紐部８の素材としては、首への着脱の容易さ、スイッチの押しやすさ、本体を密着的に包み込むなどの観点からゴムやエラストマーなどの軟質素材が好ましい。
【産業上の利用可能性】
【００１５】
本発明にかかる首掛け用ＬＥＤ照明装置は、工具を使用せず電池交換が可能で、かつ防水性が高い照明装置の提供が可能になるため、釣りやキャンプなどで夜間使用する場合のほか、暗室内等で首に掛けてハンドフリーで使用されるＬＥＤ照明装置等として有用である。
【図面の簡単な説明】
【００１６】
【図１】本発明の実施の形態１における首掛け用ＬＥＤ照明装置の正面方向断面図
【図２】同首掛け用ＬＥＤ照明装置の使用時構成を示す側面方向断面図
【図３】同首掛け用ＬＥＤ照明装置の電池交換時構成を示す概略断面図
【図４】同首掛け用ＬＥＤ照明装置の外観図
【図５】従来の首掛け用ＬＥＤ照明装置の構成を示す概略断面図
【符号の説明】
【００１７】
１    本体
２    電池
３    スイッチ
４    制御基板
５    ＬＥＤ
６    ケース
７    レンズ
８    首掛け用紐部
８ａ  凸突起
８ｂ  外壁
８ｃ  紐部根元
８ｄ  紐部内側天面
９    従来品におけるネジ
１０  従来品における首掛け用紐部
１１  従来品における本体部
１２  従来品におけるＬＥＤ
１３  従来品におけるＬＥＤ保持部
１４  従来品における接点
【図１】
0005500299.tif 000002
【図２】
0005500299.tif 000003
【図３】
0005500299.tif 000004
【図４】
0005500299.tif 000005
【図５】
0005500299.tif 000006